(57)【特許請求の範囲】
【請求項１】
容器体１の外面へ取外し可能に嵌合させた有頂周壁１１の頂板１２に弁孔１４と通孔１５とを形成したアダプタ１０と、
前記アダプタ頂板１２下面に配置された弁受け材３１に一対の透孔を形成して、一方の透孔周縁から起立する弁筒３５の上下中間部を前記弁孔１４へ嵌合させると共に、他方の透孔に貫設された貫通筒３６の上方突出部をストロー部３７に、下方突出部をストロー保持部３９に、それぞれ形成した弾性変形自在なストロー保持部材３０と、
前記アダプタ頂板１２から起立する起立筒１３へ螺合させた垂下筒４５を垂下する頂壁４２から弁軸４３を垂下して、該弁軸の上下中間部に形成された縮径部４４を前記弁筒３５へ上下動自在に挿通させると共に、該縮径部の上下両面をシール部に形成し、さらに前記頂壁４２に前記ストロー部３７を挿通させる長孔４８を形成した操作キャップ４０とを備え、
前記操作キャップ４０を開位置からさらに開方向へ強制回動させることで前記弁軸４３が前記弁筒３５から上方へ離脱可能に設けた
ことを特徴するストロー付き容器。
【請求項２】
前記操作キャップ４０の閉方向への回動で、ストロー部３７が長孔４８の一端に係合して倒伏されつつ操作キャップ内へ収納可能に、さらに前記弁軸縮径部４４の上面シール部が前記弁筒３５上端へ当接して閉弁可能に、かつ下面シール部が弁受け材３１から下方へ離間して開弁可能に、それぞれ設け、
前記操作キャップ４０の開方向への回動で、ストロー部３７が長孔４８から操作キャップ外方へ突出可能に、さらに弁軸縮径部４４の上面シール部が前記弁筒３５から上方へ離間して開弁可能に、かつ下面シール部が弁受け材３１へ当接して閉弁可能に、それぞれ設け、
前記操作キャップの閉位置と開位置との中間位置において、弁軸縮径部の上下両面のシール部のそれぞれは弁筒と弁受け材から離間して開弁することにより、容器体内の圧力を解放可能に設けた
ことを特徴する請求項１記載のストロー付き容器。
【請求項３】
前記弁軸４３は、前記頂壁４２から垂下する嵌合筒４５と、該嵌合筒内面へ上部を嵌着させて垂下し、かつ下端部が拡径部４６に形成されることで嵌合筒４５下端と拡径部４６との間の部分が縮径部４４に形成された筒状弁体４７とから構成されていることを特徴とする請求項１記載のストロー付き容器。
【請求項４】
前記ストロー保持部材３９はエラストマーから形成されていることを特徴とする請求項１ないし３のいずれか１つに記載のストロー付き容器。
【請求項５】
前記操作キャップ４０の閉位置において、前記長孔４８を下方から閉塞可能な閉塞板５０を前記アダプタ１０に設けたことを特徴とする請求項１ないし４のいずれか１つに記載のストロー付き容器。
【請求項６】
前記アダプタ周壁１１に把手７０が突設されていることを特徴とする請求項１ないし５のいずれか１つに記載のストロー付き容器。
【発明の詳細な説明】
【技術分野】
【０００１】
本発明は、容器体内にストローが挿入されたストロー付き容器に関する。
【背景技術】
【０００２】
ストロー付き容器は、不使用時には、ストロー先端の吸引部が外気に触れないようにするため、ストロー先端部を収納するための栓を備えている。例えば、容器本体の口部に着脱自在に嵌装される栓部材と、この栓部材に回動自在に枢支された蓋部材とを備えたストロー容器が知られている(特許文献１)。
【特許文献１】特開２００３−２０５９５８号公報
【発明の開示】
【発明が解決しようとする課題】
【０００３】
しかしながら特許文献１に記載のストロー付き容器では、蓋部材を開けると折曲状態で収納されたストローが弾性力で起立する際に、容器体に高温の液体等が収納されていることにより容器体内の圧力が増大して容器体内液体がストロー先端部にまで上昇している場合には、ストローから液体が噴出するおそれがあった。
【０００４】
本発明の主たる目的は、ストローが起立する前に、容器体内の圧力を解放可能なストロー付き容器を提供することにある。
【０００５】
本発明の他の目的は、構成が簡素なストロー付き容器を提供することにある。
【０００６】
本発明のさらなる他の目的は、分解および組立てが容易なストロー付き容器を提供することにある。
【課題を解決するための手段】
【０００７】
本発明は、容器体１の外面へ取外し可能に嵌合させた有頂周壁１１の頂板１２に弁孔１４と通孔１５とを形成したアダプタ１０と、
前記アダプタ頂板１２下面に配置された弁受け材３１に一対の透孔を形成して、一方の透孔周縁から起立する弁筒３５の上下中間部を前記弁孔１４へ嵌合させると共に、他方の透孔に貫設された貫通筒３６の上方突出部をストロー部３７に、下方突出部をストロー保持部３９に、それぞれ形成した弾性変形自在なストロー保持部材３０と、
前記アダプタ頂板１２から起立する起立筒１３へ螺合させた垂下筒４５を垂下する頂壁４２から弁軸４３を垂下して、該弁軸の上下中間部に形成された縮径部４４を前記弁筒３５へ上下動自在に挿通させると共に、該縮径部の上下両面をシール部に形成し、さらに前記頂壁４２に前記ストロー部３７を挿通させる長孔４８を形成した操作キャップ４０とを備え、
前記操作キャップ４０を開位置からさらに開方向へ強制回動させることで前記弁軸４３が前記弁筒３５から上方へ離脱可能に設けたことを特徴する。
【０００８】
また、本発明は、前記操作キャップ４０の閉方向への回動で、ストロー部３７が長孔４８の一端に係合して倒伏されつつ操作キャップ内へ収納可能に、さらに前記弁軸縮径部４４の上面シール部が前記弁筒３５上端へ当接して閉弁可能に、かつ下面シール部が弁受け材３１から下方へ離間して開弁可能に、それぞれ設け、
前記操作キャップ４０の開方向への回動で、ストロー部３７が長孔４８から操作キャップ外方へ突出可能に、さらに弁軸縮径部４４の上面シール部が前記弁筒３５から上方へ離間して開弁可能に、かつ下面シール部が弁受け材３１へ当接して閉弁可能に、それぞれ設け、
前記操作キャップの閉位置と開位置との中間位置において、弁軸縮径部の上下両面のシール部のそれぞれは弁筒と弁受け材から離間して開弁することにより、容器体内の圧力を解放可能に設けたことを特徴する。
【０００９】
さらに、本発明は、前記弁軸４３は、前記頂壁４２から垂下する嵌合筒４５と、該嵌合筒内面へ上部を嵌着させて垂下し、かつ下端部が拡径部４６に形成されることで嵌合筒４５下端と拡径部４６との間の部分が縮径部４４に形成された筒状弁体４７とから構成されていることを特徴とする。
【００１０】
さらに、本発明は、前記ストロー保持部材３９はエラストマーから形成されていることを特徴とする。
【００１１】
さらに、本発明は、前記操作キャップ４０の閉位置において、前記長孔４８を下方から閉塞可能な閉塞板５０を前記アダプタ１０に設けたことを特徴とする。
【００１２】
さらに、本発明は、前記アダプタ周壁１１に把手７０が突設されていることを特徴とする。
【発明の効果】
【００１３】
本発明は、ストロー部を収納ないし起立させるための操作キャップの回動操作時に、容器体内部を外気へ連通させることが可能であるから、ストロー部起立時には容器体内の圧力が解放されてストロー部内の液体は容器体内へ下降しており、したがって、ストロー部起立時に、ストロー部から液体が噴出することがない。
【００１４】
また、本発明は、アダプタ頂板から起立する起立筒と操作キャップ頂壁からの垂下筒との螺合部を高圧空気の流出路として利用すると共に、操作キャップの回動で空気流出路の開閉が可能であるから、構成が簡素である。
【００１５】
さらに、本発明は、操作キャップを開位置からさらに開方向へ強制回動させることで弁軸が弁筒から上方へ離脱可能に設けたので、アダプタから操作キャップを取り外して分解することができ、したがって、操作キャップ内部の清掃が容易である。
【００１６】
さらに、本発明は、操作キャップの閉位置において、長孔を下方から閉塞可能な閉塞板が設けられているので、意匠性が向上する。
【発明を実施するための最良の形態】
【００１７】
以下、本発明を、図面に示す実施形態を参照しながら説明する。
図１および図２はストロー付き容器の使用状態を示すもので、同図において、１は容器体で、下面閉塞の周壁２の上端部外面に雄ネジ部３が形成されていると共に、雄ネジ部３より下方の周壁部分にフランジ４が形成されている。
【００１８】
１０はアダプタで、周壁１１を容器体１の雄ネジ部３へ螺合させている。周壁１１上面を閉塞する頂板１２の後部は円錐台状に隆起されていて、この円錐台状部の中央部に起立筒１３が形成されている。
【００１９】
起立筒１３で囲まれた頂板１２部分の中央部には弁孔１４が形成されており、また円錐台状部の前部の傾斜面に通孔１５が形成されている。さらに、頂板１２の周縁部下面から後述のパッキン嵌合用の短筒１６が垂下されている。
【００２０】
２０はリング状パッキンで、短筒１６の外面に嵌合された状態で容器体周壁２上面に載置されている。パッキン２０の前後両部の内周部下端からは取外し用の摘み部２１が内方へ突設されている。
【００２１】
３０はストロー保持部材で、アダプタ頂板１２の円錐台状部の下面に配置された弁受け材３１を備えている。弁受け材３１には一対の透孔３２、３３が形成されており、一方の透孔３２周縁から起立する弁筒３４の上下方向中間部を弁孔１４へ嵌合させている。弁筒３４の上端部には抜止め用の鍔部３５が形成されている。
【００２２】
他方の透孔３３には貫通筒３６が貫設されていて、この貫通筒３６の上方への突出部は基部が大外径に形成されたストロー部３７に、また、下方への突出部はストロー３８の上端部が嵌合可能なストロー保持部３９に、それぞれ形成されている。ストロー保持部材３０の材質としてはエラストマーが好適である。
【００２３】
４０は操作キャップで、アダプタ頂板１２から起立する起立筒１３外面へ螺合させた垂下筒４１を頂壁４２から垂下している。垂下筒４１で囲まれた頂壁４２部分の中央部から弁軸４３を垂下して、弁軸４３の上下方向中間部に形成された縮径部４４を弁筒３４へ上下動自在に挿通させると共に、縮径部４４の上下両面をシール部に形成している。
【００２４】
弁軸４３は、垂下筒４１によって囲まれた頂壁４２部分の中央部から垂下する嵌合筒４５と、嵌合筒４５内面へ上部を嵌着させて垂下し、かつ下端部が拡径部４６に形成された筒状弁体４７とから形成されている。そして嵌合筒４５下端と拡径部４６との間の筒状弁体４７部分が縮径部４４を形成すると共に、嵌合筒４５下面と拡径部４６上面とがシール部を形成する。
【００２５】
操作キャップ４０の頂壁４２は円錐台状に形成されており、この円錐台状部の前部の傾斜面には周方向に伸びる長孔４８が形成されていて、この長孔４８へストロー部３７が挿通されて頂壁４２の上方へ前方傾斜状態で起立している。４９は頂壁４２の周縁から垂下された周壁である。
【００２６】
５０は閉塞板で、アダプタ頂板１２から起立する立板５１の上端から内方へ突設されている。閉塞板５０は操作キャップ４０の閉位置において、長孔４８を下方から閉塞可能に形成されている。
【００２７】
６０は回り止め板で、アダプタ頂板１２の後端部に形成されている。この回り止め板６０は、操作キャップ４０の周壁４９に周方向に所定の間隔をおいて形成された一対の係合板６１に係合可能に形成されていて、操作キャップ４０の開位置と閉位置とで係合するように設けられている。
【００２８】
７０は把手で、図３に示すようにアダプタ１０の周壁１１の左右両部に一対突設されているが、図１に示すように省略することが可能である。
【００２９】
次に作用について説明する。
図１および図２において、操作キャップ４０は開位置に位置し、ストロー部３７は起立状態にある。また、弁軸縮径部４４の上面シール部は弁筒３５から上方へ離間して開弁状態にあり、一方、下面シール部は弁受け材３１下面へ当接して閉弁状態にある。
【００３０】
この状態から操作キャップ４０を閉方向へ回動させると、ストロー部３７が長孔４８の一端に係合して倒伏されつつ操作キャップ４０内へ徐々に収納される。図３および図４に示されているように、操作キャップ４０が閉位置に達した状態では、長孔４８は閉塞板５０によって下方から閉塞されている。
【００３１】
上記のような操作キャップ４０の閉位置では、弁軸縮径部４４の上面シール部が弁筒３５上端へ上方から当接して閉弁状態にあり、他方、下面シール部が弁受け材３から下方へ離間して開弁状態にある。
【００３２】
操作キャップ４０を上記と反対方向、すなわち開方向へ回動させると、ストロー部３７が長孔４８から操作キャップ外方へ徐々に突出していく。一方、弁軸縮径部４４の上面シール部は弁筒３５から上方へ離間し、また、下面シール部は弁受け材３１下面へ当接する。
【００３３】
操作キャップ４０が閉位置と開位置との中間位置にあるとき、すなわち開位置から閉位置への回動時、またはこの逆方向への回動時には、弁軸縮径部４４の上下両面のシール部のそれぞれは弁筒３５と弁受け材３１から離間して開弁状態にあり、容器体内部が外気と連通するため、容器体内の圧力が解放されることになる。
【図面の簡単な説明】
【００３４】
【図１】本発明に係るストロー付き容器を示すもので、操作キャップが開位置にあるときの平面図である。
【図２】同じく、断面図である。
【図３】操作キャップが閉位置にあるときの平面図である。
【図４】同じく、断面図である。
【図５】アダプタと操作キャップとの分解斜視図である。
【符合の説明】
【００３５】
１  容器体
１０  アダプタ
１１  周壁
１２  頂板
１４  弁孔
３０  ストロー保持部材
３５  弁筒
３７  ストロー部
４０  操作キャップ
４３  弁軸
４４  縮径部
４８  長孔
５０  閉塞板
７０  把手
【図１】
0005004293.tif 000002
【図２】
0005004293.tif 000003
【図３】
0005004293.tif 000004
【図４】
0005004293.tif 000005
【図５】
0005004293.tif 000006